(57)【要約】【課題】枠フレーム（８）と框フレーム（１０）とを具備し、枠フレーム（８）と框フレーム（１０）との間には密閉された中空部（１６）が存在する形態の窓枠（４）の断熱性を向上せしめる。【解決手段】中空部（１６）を気密に仕切る少なくとも１個の仕切り部材（３０）を中空部（１６）内に配設する。【選択図】図１
2017036601.tif 000002
【特許請求の範囲】
【請求項１】
枠フレームと框フレームとを具備し、該枠フレームと該框フレームとの間には密閉された中空部が存在する窓枠にして、
該中空部内には、該中空部を気密に仕切る少なくとも１個の仕切り部材が配設されている、ことを特徴とする窓枠。
【請求項２】
該枠フレームと該框フレームとは共に合成樹脂製である、請求項１記載の窓枠。
【請求項３】
該仕切り部材は合成樹脂製である、請求項１又は２記載の窓枠。
【請求項４】
該仕切り部材は軟質塩化ビニル製である、請求項３記載の窓枠。
【請求項５】
該仕切り部材は、該枠フレームと該框フレームとの一方に固定された基部と該基部から延出して自由端縁は該枠フレームと該框フレームとの他方に密接せしめられている仕切り部とから構成されている、請求項１から４までのいずれかに記載の窓枠。
【請求項６】
該仕切り部材は長手方向において該枠フレーム及び該框フレームの全長に渡って延びている、請求項１から５までのいずれかに記載の窓枠。
【発明の詳細な説明】
【技術分野】
【０００１】
本発明は、枠フレームと框フレームとを具備し、枠フレームと框フレームとの間には密閉された中空部が存在する形態の窓枠に関する。
【背景技術】
【０００２】
旋回式窓等のための窓枠として、枠フレームと框フレームとを具備する窓枠が広く実用に供されている。枠フレームと框フレームとは適宜の連結手段によって連結され、両者間には密閉された中空部が存在する。寒冷地で使用されるために優れた断熱性が要求される場合、通常、枠フレームと框フレームとの双方とも硬質塩化ビニルの如く適宜の合成樹脂から形成されている。
【発明の概要】
【発明が解決しようとする課題】
【０００３】
上述したとおり枠フレームと框フレームとの双方が適宜の合成樹脂製である場合、比較的高い断熱性を得ることができるが、特にガラスとして複数枚のガラス板が間隔をおいて積層配列され高断熱性を有する積層ガラスが用いられる場合、窓枠の断熱性をより一層向上せしめることが望まれる。
【０００４】
本発明は、上記事実に鑑みてなされたものであり、その主たる技術的課題は、枠フレームと框フレームとを具備し、枠フレームと框フレームとの間には密閉された中空部が存在する形態の窓枠の断熱性を向上せしめることである。
【課題を解決するための手段】
【０００５】
本発明者等は、鋭意検討の結果、中空部を気密に仕切る少なくとも１個の仕切り部材を中空部内に配設することによって上記主たる技術的課題を達成することができることを見出した。
【０００６】
即ち、本発明によれば、上記主たる技術的課題を達成する窓枠として、枠フレームと框フレームとを具備し、該枠フレームと該框フレームとの間には密閉された中空部が存在する窓枠にして、
該中空部内には、該中空部を気密に仕切る少なくとも１個の仕切り部材が配設されている、ことを特徴とする窓枠が提供される。
【０００７】
該枠フレームと該框フレームとは共に合成樹脂製であるのが好都合である。該仕切り部材は合成樹脂製、特に軟質塩化ビニル製である、のが好ましい。該仕切り部材は、該枠フレームと該框フレームとの一方に固定された基部と該基部から延出して自由端縁は該枠フレームと該框フレームとの他方に密接せしめられている仕切り部とから構成されているのが好適である。好適には、該仕切り部材は長手方向において該枠フレーム及び該框フレームの全長に渡って延びている。
【発明の効果】
【０００８】
本発明の窓枠によれば、後述する実施例及び比較例における通過熱流量の算出から明確に理解されるとおり、仕切り部材によって中空部が気密に仕切られることに起因して断熱性が向上せしめられる。
【図面の簡単な説明】
【０００９】
【図１】本発明に従って構成された窓枠の好適実施形態を備えた窓の一部を示す横断面図。
【発明を実施するための形態】
【００１０】
以下、本発明に従って構成された窓枠の好適実施形態を備えた窓の一部を図示している添付図面を参照して、更に詳述する。
【００１１】
図１には、旋回窓の一部の横断面が図示されている。全体を番号２で示す窓は、本発明に従って構成された窓枠４とこの窓枠４に装着されたガラス６とから構成されている。全体を図示していないが、窓枠４は矩形枠形状であり、ガラス６は矩形状である。
【００１２】
窓枠４は枠フレーム８と框フレーム１０とを含んでいる。枠フレーム８と框フレーム１０とは共に硬質塩化ビニルの如き適宜の合成樹脂から押出成形されているのが好都合である。框フレーム１０には鋼製の補強フレーム１１が配設されている。周知の如く、押出成形され直線状に延在するフレーム部材を夫々上下方向及び左右方向に間隔をおいて一対配列し、例えば４５度でよい角度で切断されたフレーム部材の端縁を４個の角部で溶着することによって、窓枠４を形成することができる。図示の実施形態においては、枠フレーム８には軟質ポリ塩化ビニル或いは適宜の合成ゴムの如き柔軟な材料から形成されているシール部材１２が装着されており、框フレーム１０には同様に柔軟な材料から形成されているシール部材１４が装着されている。枠フレーム８と框フレーム１０とは上記シール部材１２及び１４を介して密接せしめられ、締結ネジの如き適宜の連結手段（図示していない）によって相互に連結されている。そして、枠フレーム８と框フレーム１０との間には密閉された中空部１６が存在する。
【００１３】
図１を参照して説明を続けると、框フレーム１０には柔軟な材料から形成させているシール部材２０を有する押縁１８が装着されていると共に押縁１８に対向して同様に柔軟な材料から形成されているシール部材シール部材２２が装着されている。押縁１８は硬質塩化ビニルの如き適宜の合成樹脂から形成することができる。押縁１８のシール部材２０とシール部材２２との間にガラス６の周縁部が装入されている。ガラス６の端縁と框フレーム１０との間には、一般にエッジクリアランスと称されている空隙２４が存在する。図示の実施形態におけるガラス６は適宜の合成樹脂から形成することができるスペース部材２６を介して積層された３枚の板ガラス２８を含んでいる。
【００１４】
而して、図示の窓２における上述した構成は、本発明に従って構成された窓枠４の新規な特徴をなすものではなく、当業者には周知の構成であり、それ故にこれらについての詳細な説明は本明細書においては省略する。
【００１５】
本発明に従って構成された窓枠４においては、枠フレーム８と框フレーム１０との間に存在する密閉された中空部１６内に、中空部１６を気密に仕切る少なくとも１個の仕切り部材３０が配設されていることが重要である。図示の実施形態においては、中空部１６内に１個の仕切り部材３０が配設されていて、中空部１６は２個の中空部、即ち図１において仕切り部材３０よりも上方の中空部と仕切り部材３０よりも下方の中空部、に仕切られている。比較的軟質の合成樹脂、例えば軟質塩化ビニル、から形成されているのが好適である仕切り部材３０は、枠フレーム８に固定された基部３０ａとこの基部３０ａから延出して自由端縁は框フレーム１０に密接せしめられている仕切り部３０ｂとから構成されている。仕切り部材３０の基部３０ａは、例えば接着によって枠フレーム８に固定することができる。所望ならば、枠フレーム８と仕切り部材３０とを共押出成形により一体的に成形することによって、仕切り部材３０の基部３０ａを枠フレーム８に固定することもできる。仕切り部材３０は長手方向（図１において紙面に垂直な方向）においては枠フレーム８及び框フレーム１０の実質上全長に渡って延びているのが好適である。図示の実施形態においては、仕切り部材３０の基部３０ａを枠フレーム８に固定し、仕切り部３０ｂの自由端縁を框フレーム１０に密接せしめているが、これに代えて仕切り部材３０の基部３０ａを框フレーム１０に固定し、仕切り部３０ｂの自由端縁を枠フレーム８に密接せしめることもできる。
【００１６】
実施例
本発明に従って構成された図１に示す窓枠４、更に詳しくは株式会社エクセルシャノンから商品名「トリプルシャノンII」として販売されている窓枠（図１は、仕切り部材３０を除いて、この窓枠の断面図を正確に図示している）に仕切り部材３０を付加した窓枠４、の熱貫流率Ｕｆを、JIS  A2102-2：窓及びドアの熱性能−熱貫流率の計算−第２部：フレームの数値計算法に基づき、一般社団法人リビングアメニティ協会から発行されているフレーム断面の２次元熱流解析ソフト「ＴＢ２Ｄ／ＢＥＭ  Ｖｅｒ３」を用いて算出した。仕切り部材３０は、肉厚１．５ｍｍの軟質ポリ塩化ビニル製で、熱伝導率は１．４Ｗ／ｍ・Ｋであった。商品名「トリプルシャノンII」として販売されている上記窓枠は、図１における寸法Ａｆが９５ｍｍで、Ｔ１が８０ｍｍで、Ｗ１が１５ｍｍであった。枠フレーム８、框フレーム１０及び押縁１８は硬質塩化ビニル製で、熱伝達率は０．１７Ｗ／ｍ・Ｋであった。シール部材１２、１４、２０及び２２は軟質ポリ塩化ビニル製で、熱伝導率は０．１４Ｗ／ｍ・Ｋであった。補強材１１は鋼製で、熱伝導率は５０Ｗ／ｍ／Ｋであった。
算出された熱貫流率Ｕｆは１．５４Ｗ／ｍ２／Ｋであった。
【００１７】
比較例
比較のために、仕切り部材３０が配設されていないことを除いて図１に示す窓枠と同一の窓枠、即ち株式会社エクセルシャノンから商品名「トリプルシャノンII」として販売されている窓枠の熱貫流率Ｕｆを、実施例と同様にして算出した。
算出された熱貫流率Ｕｆは１．６１Ｗ／ｍ２・Ｋであった。
【００１８】
上記実施例及び比較例から、本発明に従って、枠フレーム８と框フレーム１０との間に存在する密閉された中空部１６内に、中空部１６を気密に仕切る１個の仕切り部材３０を配設することによって、通過熱流量Ｕｆを４％程度低減して断熱性を向上せしめることができることが理解される。
【符号の説明】
【００１９】
２：窓
４：窓枠
６：ガラス
８：枠フレーム
１０：框フレーム
１６：中空部
３０：仕切り部材
３０ａ：仕切り部材の基部
３０ｂ：仕切り部材の仕切り部
【図１】
2017036601.tif 000003